(57)【特許請求の範囲】
【請求項１】
表示画面及び記憶手段を備え、画面パラメータの値を調整することで前記表示画面の状態を変更することが可能な第１及び第２のディスプレイを準備する第１の工程と、
前記第１のディスプレイに第１の映像信号を与えたときの前記表示画面の状態が最適となるよう前記画面パラメータの値を調整し、前記第１のディスプレイの前記記憶手段に記憶させる第２の工程と、
前記第１のディスプレイに第２の映像信号を与えたときの前記表示画面の状態が最適となるよう前記画面パラメータの値を調整し、前記第１のディスプレイの前記記憶手段に記憶させる第３の工程と、
前記第２のディスプレイに前記第１の映像信号を与えたときの前記表示画面の状態が最適となるよう前記画面パラメータの値を調整し、前記第２のディスプレイの前記記憶手段に記憶させる第４の工程と、
前記第２の工程において調整された前記第１の映像信号に対応する前記画面パラメータの値から、前記第４の工程において調整された前記第１の映像信号に対応する前記画面パラメータの値を差し引いて、差の値を求める第５の工程と、
前記第３の工程において調整された前記第２の映像信号に対応する前記画面パラメータの値から、前記第５の工程において求められた前記差の値を差し引いて得られる値を、前記第２のディスプレイの前記第２の映像信号に対応する前記画面パラメータの値とし、前記第２のディスプレイの前記記憶手段に記憶させる第６の工程と
を備えるディスプレイの画面パラメータ設定方法。
【請求項２】
前記第１の工程においてさらに、記憶手段を有する計算機を準備し、
前記第５の工程に先だって、前記第２の工程において調整された前記第１の映像信号に対応する前記画面パラメータの値、及び、前記第３の工程において調整された前記第２の映像信号に対応する前記画面パラメータの値、及び、前記第４の工程において調整された前記第１の映像信号に対応する前記画面パラメータの値を、前記計算機の前記記憶手段に記憶させる第７の工程をさらに備え、
前記第５の工程において、前記計算機を用いて前記差の値を求め、
前記第６の工程において、前記計算機を用いて前記第２のディスプレイの前記第２の映像信号に対応する前記画面パラメータの値を計算し、前記第２のディスプレイの前記記憶手段に記憶させる、
請求項１記載のディスプレイの画面パラメータ設定方法。
【請求項３】
前記第２乃至第４の工程に先だって、同期信号を備える複数の映像信号の中から、前記同期信号の水平同期周波数が互いに最も近い値となる２つの映像信号を選び、前記第１及び第２の映像信号とする第８の工程
をさらに備える請求項２記載のディスプレイの画面パラメータ設定方法。
【発明の詳細な説明】
【０００１】
【発明の属する技術分野】
この発明は、ディスプレイをパーソナルコンピュータ（以下、ＰＣと記す）等に接続して映像信号を受信させる際にプラグアンドプレイ（面倒な設定なしに接続のみで使用可能の意）対応とするために、出荷前にディスプレイ一台ごとの回路特性のばらつきを考慮して画面に関するパラメータ（本願では、画面パラメータと記す）の設定を行う方法に関するものである。
【０００２】
【従来の技術】
ディスプレイをＰＣやビデオデッキ等の映像信号出力機器に接続して映像を表示させるに際して、ディスプレイの画像表示状態を最適にするためには、画面パラメータを最適な値に調整する必要がある。画面パラメータの具体例を図３〜１５に示す。図３は画面の水平表示位置（H-PHASE）を、図４は画面の水平表示幅（H-SIZE）を、図５は画面の垂直表示位置（V-POSITION）を、図６は画面の垂直表示幅（V-SIZE）を、図７は画面上部の水平方向の糸巻き歪のバランス（TOP-BALANCE）を、図８は画面の水平方向の糸巻き歪のゲイン（PCC-AMP、PCC：PIN CUSHON CORRECTION（糸巻き歪））を、図９は画面の水平方向の台形歪（PCC-PHASE）を、図１０は画面上部の水平方向の糸巻き歪のバランス（TOP-PCC）を、図１１は画面下部の水平方向の糸巻き歪のバランス（BOTTOM-PCC）を、図１２は画面の水平方向の糸巻き歪のバランス（PIN-BALANCE）を、図１３は画面の水平方向の平行四辺形歪（KEY-BALANCE）を、図１４は画面の水平方向の糸巻き歪のゲイン底値の垂直方向調整（PCC-V-PHASE）を、図１５は画面垂直方向中心の水平方向の糸巻き歪のゲイン（PCC-CENTER）を、それぞれ示している。ディスプレイでは通常、これらの画面パラメータについて、それぞれ例えば０〜２５０のようなある数値範囲を設けており、ユーザがその範囲内のいずれかの値を指定することで画像表示状態を決定する。
【０００３】
一般に、これらの画面パラメータの最適値は、映像信号の種類に応じてそれぞれ異なっている。よって例えば、あるＰＣに接続したときにある映像信号を出力させてディスプレイの全画面パラメータを最適な値に調整したとしても、調整時に用いた映像信号と異なる映像信号をそのＰＣから出力した場合や、そのディスプレイを別のＰＣに接続した場合などには、新たに画面パラメータを設定しなおさなければならなかった。従来このような調整は、ユーザがその都度、ディスプレイの調整機構を手動操作することで行っていた。
【０００４】
しかし近年は、ユーザに負担をかけないようにとの配慮から、プラグアンドプレイ対応ディスプレイが主流となりつつある。プラグアンドプレイ対応ディスプレイでは、種々の映像信号に対応した画面パラメータの最適値が出荷時にプリセットされており、ディスプレイが映像信号を受け取ったときに、映像信号の種類を判別してその種類に対応した最適値となるよう自動的に画面パラメータを調整する機構が内蔵されている。例えばＰＣの映像信号の場合、米国の標準化団体であるＶＥＳＡ（Video Electronics Standards Association）が策定したＳＶＧＡ等の規格が有名であるが、多くのプラグアンドプレイ対応ディスプレイが、これらの規格のタイミング情報（例えば、水平同期周波数、垂直同期周波数、水平同期信号極性及び垂直同期信号極性の情報）を備え、入力された映像信号がこれらの規格のいずれであるかをそのタイミング情報より認識して、表示画面が最適な状態になるよう画面パラメータを自動的に調整する。
【０００５】
図１６は、プラグアンドプレイ対応ディスプレイの構成例を示すものである。ディスプレイ６は、外部の映像信号出力機器８からの映像信号を解析しデジタル映像信号として出力し、また、ディスプレイ６内の他の部分の制御を行うＣＰＵ１と、種々の映像信号のタイミング情報とその映像信号に対応した画面パラメータの情報とを蓄えた不揮発性メモリ２と、ＣＰＵ１からのデジタル映像信号出力や画面パラメータについての出力等をアナログ信号に変換するＤ／Ａ変換器３と、画像を表示する表示部５と、Ｄ／Ａ変換器３の出力するアナログ信号をもとに表示部５を駆動させる駆動回路４とを備えている。
【０００６】
このうち不揮発性メモリ２には、上記のＳＶＧＡ等の著名な規格の映像信号のタイミング情報と、それに対応した画面パラメータの最適値の情報とが、プリセット情報として数種〜数十種蓄えられていることが一般的である。そしてさらに、ユーザが任意の映像信号に対して独自の画面パラメータを設定した際に、その映像信号のタイミング情報と、それに対応した画面パラメータの設定値の情報とを、ユーザ情報としてこちらも数種〜数十種不揮発性メモリ２に記憶可能とすることが多い。
【０００７】
ただし、このユーザ情報を蓄えるべきメモリ領域には、ユーザが自ら設定する以前（つまり出荷時）に、メーカ側が予めプリセット情報以外の情報を記憶させておくことも多い。このような情報には、ＳＶＧＡ等ほど著名ではないがＶＥＳＡが推奨している規格のタイミング情報や、ＰＣメーカが独自に同期周波数等を設定した映像信号のタイミング情報等があり、それらに対しても対応する画面パラメータの最適値を蓄えておくのである。このような情報をもディスプレイが記憶しておけば、プラグアンドプレイ対応能力がより向上し、ユーザへの負担をさらに減少させることが可能となる。以下では、予めプリセット情報として蓄えられる映像信号をプリセット映像信号と、予めユーザ情報のメモリ領域に蓄えられる映像信号を準プリセット映像信号と、それぞれ記す。
【０００８】
さて、映像信号出力機器８から映像信号を受け取る際には、ディスプレイ６は以下の動作を行う。まずＣＰＵ１が、映像信号出力機器８から受け取った映像信号のタイミング情報を解析し、不揮発性メモリ２内に記憶されたプリセット映像信号または準プリセット映像信号に同じものがあるかどうか調べる。もしあれば、ＣＰＵ１がそれに対応する画面パラメータの最適値の情報を読み取り、Ｄ／Ａ変換器３でアナログ信号に変換して駆動回路４へと出力する。
【０００９】
一方、ない場合（未知の映像信号である場合）にはＣＰＵ１が、受け取った映像信号のタイミング情報を、例えば垂直成分に関するもの（垂直同期周波数や垂直同期信号極性等）と水平成分に関するもの（水平同期周波数や水平同期信号極性等）とに分け、それらの成分ごとに最も類似した映像信号（例えば極性が同じで最も周波数の近いもの）を不揮発性メモリ２内のプリセット映像信号または準プリセット映像信号の中からそれぞれ選ぶ。そしてＣＰＵ１は、垂直成分について選んだ映像信号に対応する画面パラメータの情報から、画面パラメータのうち垂直成分に関するもの（垂直表示幅、垂直表示位置等）の最適値を読み取り、水平成分について選んだ映像信号に対応する画面パラメータの情報から、画面パラメータのうち水平成分に関するもの（水平表示幅、水平表示位置等）の最適値を読み取って、Ｄ／Ａ変換器３でアナログ信号に変換して駆動回路４へと出力する。
【００１０】
よって、未知の映像信号を受け取った場合であっても、ディスプレイ６は可能な限り画面パラメータを最適な値に調整し、ユーザの負担を軽減する。
【００１１】
【発明が解決しようとする課題】
上の記述では、あるディスプレイにおいて画面パラメータの最適値をいかにして取得するかについては触れていなかった。以下にその取得方法について述べる。
【００１２】
工場で製造されたディスプレイは、その全てが同じ回路特性を有するというわけではなく、一台ごとに微妙な差異を有している。この差異はディスプレイの画像表示状態に影響するので、あるディスプレイの画面パラメータと他のディスプレイの画面パラメータとを全て同じ値に設定したとしても、実際の表示状態が両者で同じになるとは限らない。具体的には例えば、ディスプレイＤｘで垂直表示幅のパラメータを８０と設定したときに実寸が２０５ｍｍであったとすると、ディスプレイＤｙで垂直表示幅のパラメータを８０と設定しても、実寸は２０５ｍｍになるとは限らない、ということである。この場合、例えばディスプレイＤｙで実寸が２０８ｍｍになったとすれば、実寸を２０５ｍｍにするためには垂直表示幅のパラメータを例えば７８と設定しなければならない。もし、実寸２０５ｍｍが最も理想的な値であったとすれば、垂直表示幅のパラメータの最適値は、ディスプレイＤｘについては８０であり、ディスプレイＤｙについては７８であるということになる。
【００１３】
よって、画面パラメータの最適値はディスプレイ一台ごとに異なっており、それぞれのディスプレイごとに、出荷前に工場内において調整が必要となる。さらに、上述のように入力される映像信号の種類によっても画面パラメータの最適値は異なるので、不揮発性メモリ２内に収める映像信号の種類の数と同じ回数だけ、画面パラメータの最適値を探索して設定する必要がある。
【００１４】
これら最適値の探索及び設定の方法は、以下のような従来より用いられている方法を用いて行う。すなわち、まず、全面に白を表示したディスプレイの画面をＣＣＤカメラで撮影し、その表示画面が、最適な位置に、最適な大きさの画面範囲で、歪みの無い長方形として表示されるかどうかＣＣＤカメラに接続された検査用コンピュータが判断する。そして、その結果を用いて画面パラメータを変更し、最適な表示画面となるまで調整しなおした上で不揮発性メモリ２に記憶させる。これらの動作は、上記のＣＣＤカメラや検査用コンピュータを備えた専用の検査機器により自動的に行われている。
【００１５】
しかし、ディスプレイ一台に付き、全ての映像信号ごとに最適値を設定するのではあまりに時間が掛かりすぎるので、実際には、画面パラメータの最適値設定を一台ごとに行うのは、プリセット映像信号に対してのみとしている。そして、準プリセット映像信号に対しては、簡略化した最適値設定を行っている。すなわち、いくつかのディスプレイに対してのみ、準プリセット映像信号の画面パラメータの最適値設定を行い、その画面パラメータ最適値の平均値を計算して、全てのディスプレイの準プリセット映像信号の画面パラメータに共通の値を採用するのである。
【００１６】
このようにすれば、準プリセット映像信号の場合であってもそれなりに画像表示状態は改善される。ただやはり、この方法ではディスプレイ一台ごとの回路特性のばらつきを考慮していないので、プラグアンドプレイ対応ディスプレイの画面パラメータの設定としては満足のゆくものではない。
【００１７】
なお、各ディスプレイごとに、入力映像信号に対する表示画像の状態を補正する回路を取りつけて自動調整させる、という方法も考えられる。例えば、特開平１０−９１１３２号公報に記載の技術は、そのような画像表示装置である。図１７はこの公報に記載の技術について示したものであり、画像表示装置２０は、映像信号出力装置８より出力されるカラー信号１４の信号レベルから表示情報の有効期間（入力表示データ有効タイミング信号１８）を検出する表示データ有効期間検出部９と、表示部１２に与える表示タイミング信号１９を生成する表示タイミング制御部１０とを備える。この表示タイミング制御部１０が、入力表示データ有効タイミング信号１８と映像信号出力装置８から出力される同期信号１５とを用いて表示タイミング信号１９を演算して最適化し、表示部１２における表示画像の水平表示位置、垂直表示位置、水平表示幅、垂直表示幅等を自動的に調整する。
【００１８】
しかし、このような表示画像の補正回路を取りつけることは、ディスプレイの薄型化、軽量化の妨げとなり、またコストアップにもつながる。さらに、画面パラメータの要素を増加させた場合に、表示タイミング制御部１０の動作が複雑になり制御が難しくなる、という問題もある。
【００１９】
本発明は、上記の課題を解決するためになされたもので、表示画像の補正回路を用いることなく、準プリセット映像信号に対してもディスプレイ一台ごとの回路特性のばらつきを考慮して画面パラメータの最適値設定を行うことを目的とする。
【００２０】
【課題を解決するための手段】
この発明のうち請求項１にかかるものは、表示画面及び記憶手段を備え、画面パラメータの値を調整することで前記表示画面の状態を変更することが可能な第１及び第２のディスプレイを準備する第１の工程と、前記第１のディスプレイに第１の映像信号を与えたときの前記表示画面の状態が最適となるよう前記画面パラメータの値を調整し、前記第１のディスプレイの前記記憶手段に記憶させる第２の工程と、前記第１のディスプレイに第２の映像信号を与えたときの前記表示画面の状態が最適となるよう前記画面パラメータの値を調整し、前記第１のディスプレイの前記記憶手段に記憶させる第３の工程と、前記第２のディスプレイに前記第１の映像信号を与えたときの前記表示画面の状態が最適となるよう前記画面パラメータの値を調整し、前記第２のディスプレイの前記記憶手段に記憶させる第４の工程と、前記第２の工程において調整された前記第１の映像信号に対応する前記画面パラメータの値から、前記第４の工程において調整された前記第１の映像信号に対応する前記画面パラメータの値を差し引いて、差の値を求める第５の工程と、前記第３の工程において調整された前記第２の映像信号に対応する前記画面パラメータの値から、前記第５の工程において求められた前記差の値を差し引いて得られる値を、前記第２のディスプレイの前記第２の映像信号に対応する前記画面パラメータの値とし、前記第２のディスプレイの前記記憶手段に記憶させる第６の工程とを備えるディスプレイの画面パラメータ設定方法である。
【００２１】
この発明のうち請求項２にかかるものは、請求項１記載のディスプレイの画面パラメータ設定方法であって、前記第１の工程においてさらに、記憶手段を有する計算機を準備し、前記第５の工程に先だって、前記第２の工程において調整された前記第１の映像信号に対応する前記画面パラメータの値、及び、前記第３の工程において調整された前記第２の映像信号に対応する前記画面パラメータの値、及び、前記第４の工程において調整された前記第１の映像信号に対応する前記画面パラメータの値を、前記計算機の前記記憶手段に記憶させる第７の工程をさらに備え、前記第５の工程において、前記計算機を用いて前記差の値を求め、前記第６の工程において、前記計算機を用いて前記第２のディスプレイの前記第２の映像信号に対応する前記画面パラメータの値を計算し、前記第２のディスプレイの前記記憶手段に記憶させる。
【００２２】
この発明のうち請求項３にかかるものは、請求項２記載のディスプレイの画面パラメータ設定方法であって、前記第２乃至第４の工程に先だって、同期信号を備える複数の映像信号の中から、前記同期信号の水平同期周波数が互いに最も近い値となる２つの映像信号を選び、前記第１及び第２の映像信号とする第８の工程をさらに備える。
【００２３】
【発明の実施の形態】
実施の形態１．
本実施の形態は、プリセット映像信号と準プリセット映像信号との類似性を予め調査しておき、あるディスプレイで両映像信号の画面パラメータを最適な値に調整してその設定値を基準値とし、他のディスプレイにおいて調整したプリセット映像信号の画面パラメータ最適値と当該プリセット映像信号の基準値との差を計算し、その差を当該プリセット映像信号に類似した準プリセット映像信号の基準値から差し引いて得られる値を、当該他のディスプレイの準プリセット映像信号に対応する画面パラメータとする、ディスプレイの画面パラメータ設定方法である。
【００２４】
まず、複数の準プリセット映像信号のそれぞれが、複数のプリセット映像信号のうちどの信号と類似しているかを予め調べておく。例えば、プリセット映像信号に表１に示すようなＡ〜Ｃの３種の映像信号を用い、準プリセット映像信号に表２に示すような１〜５の５種の映像信号を用いるとする。ここでは、各映像信号のタイミング情報として水平同期周波数（H[kHz]）と垂直同期周波数（V[Hz]）の２つが示されている。このうち、水平同期周波数の値が近いかどうかという点を類似性の判断材料にする。水平同期周波数が映像信号の特性を最も端的に表わすと考えられるためである。
【００２５】
【表１】
0003655494.tif 000002
【００２６】
【表２】
0003655494.tif 000003
【００２７】
すると、表２の映像信号の種類番号の横に括弧書きで示したように、準プリセット映像信号１はプリセット映像信号Ａに、準プリセット映像信号２はプリセット映像信号Ｂに、準プリセット映像信号３はプリセット映像信号Ｂに、準プリセット映像信号４はプリセット映像信号Ｃに、準プリセット映像信号５はプリセット映像信号Ｃに、それぞれ類似していることになる。
【００２８】
次に、出荷前のある１つのディスプレイＤａにおいて、プリセット映像信号Ａ〜Ｃ及び準プリセット映像信号１〜５の各々について、画面パラメータの最適値を探索し設定しておく。このときの最適値の設定については、従来の技術と同様、ＣＣＤカメラや検査用コンピュータを備えた専用の検査機器を用い自動的に行えばよい。すなわち、全面に白を表示したディスプレイＤａの画面をＣＣＤカメラで撮影し、表示画面が最適な位置に最適な大きさの画面範囲で歪みの無い長方形として存在するか判定し、最適値からずれている場合には画面パラメータを最適となるまで調整しなおして、ディスプレイＤａの不揮発性メモリ２に記憶させるのである。もちろん同様の機能を有するその他の検査機器を用いて、上記の設定を行ってもよい。
【００２９】
表１，２はその具体例を示すものであり、画面パラメータとして、画面の水平表示位置（H-PS）、画面の水平表示幅（H-SZ）、画面の垂直表示位置（V-PS）、画面の垂直表示幅（V-SZ）、画面上部の水平方向の糸巻き歪のバランス（T-BL）、画面の水平方向の糸巻き歪のゲイン（P-AM）、画面の水平方向の台形歪（P-PS）、画面上部の水平方向の糸巻き歪のバランス（TP-P）、画面上部の水平方向の糸巻き歪のバランス（BT-P）、画面垂直方向中心の水平方向の糸巻き歪のゲイン（P-CT）、画面の水平方向の糸巻き歪のゲイン底値の垂直方向調整（P-VP）、画面の水平方向の糸巻き歪のバランス（P-BL）、画面の水平方向の平行四辺形歪（K-BL）の１３種を、それぞれ設定している。
【００３０】
そして、図１に示すようにディスプレイＤａのＣＰＵ１に計算機７を接続して、不揮発性メモリ２に記憶させた映像信号Ａ〜Ｃ，１〜５の各々についての、表１，２に示した画面パラメータの最適値を、計算機７内部のメモリにも記憶させておく。このディスプレイＤａの画面パラメータの各値が、以降のディスプレイの画面パラメータ調整の基準値となる。
【００３１】
次に、ディスプレイＤａにかわって別のディスプレイＤｂを検査機器にセットし、ディスプレイＤａのときと同様に、プリセット映像信号Ａ〜Ｃの各々について画面パラメータの最適値を探索して、ディスプレイＤｂ内部の不揮発性メモリ２に設定する。そして、図１のディスプレイＤａのように計算機７にも接続する。計算機７は、不揮発性メモリ２からプリセット映像信号Ａ〜Ｃの画面パラメータの各値の情報を読み取り、最初に記憶したディスプレイＤａのプリセット映像信号Ａ〜Ｃの画面パラメータの各値と比較する。そして各プリセット映像信号Ａ〜Ｃの各画面パラメータごとに差ΔＡ〜ΔＣを計算する。その結果は表３に示す通りである。
【００３２】
【表３】
0003655494.tif 000004
【００３３】
続いて、計算機７がディスプレイＤｂの準プリセット映像信号１〜５のそれぞれについて、各画面パラメータの数値の設定を行う。この設定には、ディスプレイＤａの準プリセット映像信号１〜５の画面パラメータ（表２の各数値）と、ディスプレイＤａ，Ｄｂ間のプリセット映像信号Ａ〜Ｃの各画面パラメータの差（表３のΔＡ，ΔＢ，ΔＣ）とを用い、準プリセット映像信号１の画面パラメータには、基準値であるディスプレイＤａの準プリセット映像信号１の画面パラメータの各値から、ディスプレイＤａ，Ｄｂ間のプリセット映像信号Ａの画面パラメータの各値の差ΔＡをそれぞれ差し引いた値を採用する。同様にして、ディスプレイＤｂの準プリセット映像信号２の画面パラメータには、ディスプレイＤａの準プリセット映像信号２の画面パラメータの各値から、ディスプレイＤａ，Ｄｂ間のプリセット映像信号Ｂの画面パラメータの各値の差ΔＢをそれぞれ差し引いた値を採用し、準プリセット映像信号３についても同様にする。準プリセット映像信号４，５についても、ディスプレイＤａ，Ｄｂ間のプリセット映像信号Ｃの画面パラメータの各値の差ΔＣを用いて同様に計算した値を採用する。この結果を示したのが表４である。
【００３４】
【表４】
0003655494.tif 000005
【００３５】
表４の数値を用いて具体的に説明すると、例えば、準プリセット映像信号１の画面パラメータのうちH-SZの値については、ディスプレイＤａでは１７９（表２における準プリセット映像信号１のH-SZの数値）であるので、この値からプリセット映像信号ＡのH-SZについてのディスプレイＤａ，Ｄｂ間の差２１（表３におけるプリセット映像信号ＡのH-SZのΔＡの数値）を差し引いた値１５８をディスプレイＤｂに採用するということである。その他のディスプレイＤｂの準プリセット映像信号１の各画面パラメータも同様にして計算し、また、ディスプレイＤｂの準プリセット映像信号２〜５の各画面パラメータについても同様に、プリセット映像信号ＢまたはＣのディスプレイＤａ，Ｄｂ間の画面パラメータの各値の差ΔＢまたはΔＣを用いて、同様の計算を行っている。
【００３６】
以上の計算は、プリセット映像信号についてディスプレイＤａ，Ｄｂ間に生じる画面パラメータの差を、準プリセット映像信号についてのディスプレイＤａ，Ｄｂ間の画面パラメータの差に用いてもよいことを前提としている。この前提の根拠となる実験結果を、表５，６に示す。
【００３７】
【表５】
0003655494.tif 000006
【００３８】
【表６】
0003655494.tif 000007
【００３９】
表５，６は、ある２台のディスプレイＤｐ，Ｄｑのそれぞれにおいて、映像信号Ａ〜Ｃ，１〜５の全てについて、検査機器を用いて画面パラメータの設定を行った結果を示したものである。表５，６は、ともに表３と同様のデータ構成を有し、それぞれのディスプレイＤｐ，Ｄｑにおいて各映像信号について最適に設定した各画面パラメータと、両ディスプレイ間の画面パラメータの差とを示している。表５，６を見れば、表５の画面パラメータの差ΔＡ〜ΔＣの各値と、表６の画面パラメータの差Δ１〜Δ５の各値とが、ともによく似た傾向を示していることがわかる。これはすなわち、表６の準プリセット映像信号１〜５のディスプレイＤｐの画面パラメータの各値を基準値として、その基準値から表５のプリセット映像信号Ａ〜Ｃの両ディスプレイ間の画面パラメータの各値の差を差し引いて、ディスプレイＤｑの準プリセット映像信号１〜５の画面パラメータとして用いても、差し支えないことを示している。
【００４０】
また、上記の方法では準プリセット映像信号１〜５のそれぞれについてプリセット映像信号Ａ〜Ｃのいずれかを水平同期周波数の値が近いかどうかの類否判断によって対応させていたが、この類否判断で差し支えないことも以下に示す。
【００４１】
【表７】
0003655494.tif 000008
【００４２】
表７は、表６のうち、例として準プリセット映像信号２について、各画面パラメータごとに、準プリセット映像信号２のディスプレイＤｐ，Ｄｑ間の差の値Δ２と、各プリセット映像信号Ａ〜ＣのディスプレイＤｐ，Ｄｑ間の差の値ΔＡ〜ΔＣとの差の絶対値を計算し、その差の絶対値を全画面パラメータを通して合計した値（表７ではTOTALと表示）を示したものである。表７のTOTALの値を見るとわかるように、プリセット映像信号ＢのディスプレイＤｐ，Ｄｑ間の差の値が、準プリセット映像信号２のディスプレイＤｐ，Ｄｑ間の差の値と最も近いといえる。すなわち、プリセット映像信号Ａ〜Ｃのうちプリセット映像信号Ｂが準プリセット映像信号２に最も類似した信号であるということを示している。
【００４３】
この実験結果は一例であり、他の信号同士を比較した場合には異なった結果となる場合もなくはないのではあるが、実験を重ねたところ水平同期周波数のみにより類否判断を行っても概ね差し支えないとの判断に至っている。なお、垂直同期周波数や信号の極性等の判断材料の要素を増やして映像信号の類否判断を行う方がより正確な類否判断ができるが、工場での生産性や画面パラメータのばらつきの補正に対する効果等を考慮すると、そこまで詳しい類否判断を行う必要はないと考えられる。
【００４４】
このように水平同期周波数のみを類否判断に用いれば、プリセット映像信号と準プリセット映像信号との間の水平同期周波数の値の差を計算するだけで済み、判断が迅速に行える。なお、類似と判断される候補が複数存在した場合には、そのいずれを選んでもよいとしておけばよい。このような事態が生じる頻度は少なく、また、いずれの候補が採用されたとしても、致命的に画像表示状態が悪くなることはないと考えられるからである。
【００４５】
さて最後に、以上のようにして求めた準プリセット映像信号１〜５の画面パラメータの各値を、計算機７が出力してディスプレイＤｂ内の不揮発性メモリ２に記憶させる。計算機７を使用するので、準プリセット映像信号１〜５の画面パラメータがこのように大量に存在しても、迅速に計算でき、工場における生産性を高めることができる。
【００４６】
そして、ディスプレイＤｃ以降も同様の動作を繰り返して、それぞれの準プリセット映像信号に最適な画面パラメータの値を設定する。
【００４７】
以上の手続きの流れをフローチャートにまとめたのが、図２である。図２は上述の例に準拠しており、手続きが開始する（Ｓ１）とまず、準プリセット映像信号１〜５の各々を、プリセット映像信号Ａ〜Ｃのいずれか類似するものと対応させる（Ｓ２）。そして、ディスプレイＤａで各映像信号Ａ〜Ｃ，１〜５の画面パラメータを最適な値に調整してその設定値を基準値とし（Ｓ３）、プリセット映像信号Ａ〜Ｃの基準値と他のディスプレイＤｂのプリセット映像信号Ａ〜Ｃの画面パラメータ最適値との差を計算し（Ｓ４）、その差を対応する準プリセット映像信号１〜５の基準値から差し引いて得られた値をディスプレイＤｂの準プリセット映像信号１〜５の画面パラメータとする（Ｓ５）。ディスプレイＤｃ以降もステップＳＴ４，ＳＴ５と同様のステップを繰り返す（Ｓ６）。
【００４８】
本実施の形態を用いれば、あるディスプレイにおいてプリセット映像信号及び準プリセット映像信号の画面パラメータの基準値を決めて、他のディスプレイでプリセット映像信号について基準値からの差を計算し、対応する準プリセット映像信号の基準値からその差を差し引いて得られる値を、その準プリセット映像信号の画面パラメータとするので、準プリセット映像信号に対しても、ディスプレイ一台ごとの回路特性に合わせた画面パラメータの設定を行うことができる。また、表示画像の補正回路を用いないのでコストアップを招くこともない。
【００４９】
なお、本実施の形態によって画面パラメータが設定されたディスプレイ６が製品としてユーザの許へ出荷された後、映像信号出力機器８から映像信号を受け取る際には、従来の技術と同様の動作を行う。すなわち、ＣＰＵ１が、映像信号出力機器８から受け取った映像信号のタイミング情報を解析し、不揮発性メモリ２内に記憶されたプリセット映像信号または準プリセット映像信号に同じものがあるかどうか調べ、もしあれば、ＣＰＵ１がそれに対応する画面パラメータの最適値の情報を読み取り、Ｄ／Ａ変換器３でアナログ信号に変換して駆動回路４へと出力する。一方、ない場合にはＣＰＵ１が、受け取った映像信号のタイミング情報を、例えば垂直成分に関するものと水平成分に関するものとに分け、それらの成分ごとに最も類似した映像信号を不揮発性メモリ２内のプリセット映像信号または準プリセット映像信号の中からそれぞれ選ぶ。そしてＣＰＵ１は、垂直成分について選んだ映像信号に対応する画面パラメータの情報から、画面パラメータのうち垂直成分に関するものの最適値を読み取り、水平成分について選んだ映像信号に対応する画面パラメータの情報から、画面パラメータのうち水平成分に関するものの最適値を読み取って、Ｄ／Ａ変換器３でアナログ信号に変換して駆動回路４へと出力する。
【００５０】
【発明の効果】
この発明のうち請求項１にかかるディスプレイの画面パラメータ設定方法を用いれば、第３の工程において調整された第２の映像信号に対応する画面パラメータの値から、第５の工程において求められた差の値を差し引いて得られる値を、第２のディスプレイの第２の映像信号に対応する画面パラメータの値とするので、第２の映像信号に対しても、第２のディスプレイの回路特性に合わせた画面パラメータの設定を行うことができる。また、表示画像の補正回路を用いないのでコストアップを招くこともない。
【００５１】
この発明のうち請求項２にかかるディスプレイの画面パラメータ設定方法を用いれば、計算機を使用するので、第２のディスプレイの第２の映像信号に対応する画面パラメータの値を迅速かつ大量に計算でき、工場における生産性を高める。
【００５２】
この発明のうち請求項３にかかるディスプレイの画面パラメータ設定方法を用いれば、水平同期周波数の値のみを類否判断に用いるので、第１及び第２の映像信号間の水平同期周波数の値の差を計算するだけで済み、判断が迅速に行える。
【図面の簡単な説明】
【図１】  実施の形態１に用いられるディスプレイの構成を簡略化して示した図である。
【図２】  実施の形態１のフローチャートである。
【図３】  画面パラメータのうち画面の水平表示位置を示す図である。
【図４】  画面パラメータのうち画面の水平表示幅を示す図である。
【図５】  画面パラメータのうち画面の垂直表示位置を示す図である。
【図６】  画面パラメータのうち画面の垂直表示幅を示す図である。
【図７】  画面パラメータのうち画面上部の水平方向の糸巻き歪のバランスを示す図である。
【図８】  画面パラメータのうち画面の水平方向の糸巻き歪のゲインを示す図である。
【図９】  画面パラメータのうち画面の水平方向の台形歪を示す図である。
【図１０】  画面パラメータのうち画面上部の水平方向の糸巻き歪のバランスを示す図である。
【図１１】  画面パラメータのうち画面下部の水平方向の糸巻き歪のバランスを示す図である。
【図１２】  画面パラメータのうち画面の水平方向の糸巻き歪のバランスを示す図である。
【図１３】  画面パラメータのうち画面の水平方向の平行四辺形歪を示す図である。
【図１４】  画面パラメータのうち画面の水平方向の糸巻き歪のゲイン底値の垂直方向調整を示す図である。
【図１５】  画面パラメータのうち画面垂直方向中心の水平方向の糸巻き歪のゲインを示す図である。
【図１６】  プラグアンドプレイ対応ディスプレイの構成例を示す図である。
【図１７】  従来の画像表示装置を示す図である。
【符号の説明】
１  ＣＰＵ、２  不揮発性メモリ、７  計算機、Ｄａ  ディスプレイ。
【図１】
0003655494.tif 000009
【図２】
0003655494.tif 000010
【図３】
0003655494.tif 000011
【図４】
0003655494.tif 000012
【図５】
0003655494.tif 000013
【図６】
0003655494.tif 000014
【図７】
0003655494.tif 000015
【図８】
0003655494.tif 000016
【図９】
0003655494.tif 000017
【図１０】
0003655494.tif 000018
【図１１】
0003655494.tif 000019
【図１２】
0003655494.tif 000020
【図１３】
0003655494.tif 000021
【図１４】
0003655494.tif 000022
【図１５】
0003655494.tif 000023
【図１６】
0003655494.tif 000024
【図１７】
0003655494.tif 000025